(57)【要約】【課題】  湿気の帯びやすいフィルム状やシート状の物品を複数枚重ねた状態にして容器内に収納し、開閉蓋を閉じて長期間保存しておいても、容器内に湿気が入り難く、その物品が互いに引っ付くことなく、一枚ずつ取り出すことができるようにした包装用容器を提供する。【解決手段】  下面を開口した上部体１と、上面を開口した下部体２からなり、上部体１の天板１ａの周囲に外周壁１ｂを設け、この外周壁１ｂの内側に内周壁１ｃを設けたものとし、外周壁１ｂと内周壁１ｃの間に嵌合溝３を設けたものとし、天板１ａに開閉蓋４を取り付けた取出口５を設け、下部体２の底板２ａの周囲に周壁２ｂを設けたものとし、この周壁２ｂを前記上部体１の嵌合溝３に嵌合して、上部体１に密着して取り付けたものとし、前記開閉蓋４の閉鎖時に、外周壁４ｂの下端部が取出口５の周囲面５ａに接触するようにすると共に、内周壁４ｃが取出口５に嵌合するようにしている。【選択図】    図４
2006069616.tif 000002
【特許請求の範囲】
【請求項１】
下面を開口した上部体（１）と、上面を開口した下部体（２）からなり、上部体（１）の天板（１ａ）の周囲に外周壁（１ｂ）を設け、この外周壁（１ｂ）の内側に内周壁（１ｃ）を設けたものとし、外周壁（１ｂ）と内周壁（１ｃ）の間に嵌合溝（３）を設けたものとし、天板（１ａ）に開閉蓋（４）を取り付けた取出口（５）を設け、下部体（２）の底板（２ａ）の周囲に周壁（２ｂ）を設けたものとし、この周壁（２ｂ）を前記上部体（１）の嵌合溝（３）に嵌合して、上部体（１）に密着して取り付けたものとし、前記開閉蓋（４）の閉鎖時に、外周壁（４ｂ）の下端部が取出口（５）の周囲面（５ａ）に接触するようにすると共に、内周壁（４ｃ）が取出口（５）に嵌合するようにしたことを特徴とする包装用容器。
【請求項２】
前記開閉蓋（４）を上部体（１）の一側部から他側部にかけて開閉するようにしたことを特徴とする請求項１記載の包装用容器。
【請求項３】
前記上部体（１）の取出口（５）の下方位置における下部体（２）の底板（２ａ）に、外から内寄りに傾斜させた傾斜面（６ａ）を有する隆起部（６）を設けたことを特徴とする請求項１または２記載の包装用容器。
【請求項４】
前記上部体（１）および下部体（２）を、低密度ポリエチレンからなるものとしたことを特徴とする請求項１〜３の何れかに記載の包装用容器。
【発明の詳細な説明】
【技術分野】
【０００１】
この発明は、湿気の帯びやすいフィルム状やシート状の物品を複数枚重ねた状態にして収納しておくための包装用容器に関するものである。
【背景技術】
【０００２】
従来、この種の包装用容器としては、例えば図１１〜１３に示したように、下面を開口した上部体１１と、上面を開口した下部体１２からなり、上部体１１の天面１１ａに、開閉蓋１３を取り付けた取出口１４を設け、上部体１１の周壁１１ｂの内面に設けたリブ１５を、下部体１２の周壁１２ａの外面に設けたリブ１６に係合させて、上部体１１を下部体１２に装着したものとしている。前記開閉蓋１３は、上部体１１の略中央部から一側部にかけて開閉するようにしており、天面１１ａに形成した窪部ｄに掛体１３ｂを突き出して設けたものとしている。そして、前記上部体１１の開閉蓋１３の閉鎖時には、開閉蓋１３の周壁１３ａが取出口１４に嵌合するようにしている。さらに、下部体１２には、上部体１１の取出口１４の下方位置における底板１２ｂを迫り上げて傾斜面１７を形成したものとしている（特許文献１）。
【０００３】
このように構成された従来の包装用容器は、天面１１ａの窪部ｄに指を差し込み、指先に掛体１３ｂを掛けて引き上げ、開閉蓋１３を開けた状態にして、指操作により容器内の物品の一端部を底板１２ｂの傾斜面１７に摺動させて、その物品を一枚ずつ取り出すようにして使用される。
【特許文献１】意匠登録第１１８０６４５号公報（第３、４頁、斜視図、断面図、分解斜視図）
【発明の開示】
【発明が解決しようとする課題】
【０００４】
しかしながら、図１１〜１３に示した従来の包装用容器においては、容器内に収納した物品を短期間のうちに取り出して消費してしまう場合には、その物品が湿気を帯びるようなこと少ない。しかし、この従来の包装用容器では、開閉蓋１３の周壁１３ａを取出口１４に嵌合するようにしているだけであり、また上部体１１の周壁１１ｂのリブ１５を、下部体１２の周壁１２ａのリブ１６に係合させて、上部体１１を下部体１２に装着したものにしているだけであるので、前記物品を容器内に収納し、開閉蓋１３を閉じて長期間保存しておくと、上部体１１の周壁１１ｂと下部体１２の周壁１２ａの間に生じた僅かな隙間や、開閉蓋１３と取出口１４の間に生じた僅かな隙間から湿気が入り、容器内に複数枚重ねた状態して収納した物品が湿気を帯び、互いに引っ付いてしまい、一枚ずつ取り出すことができなくなってしまうという問題点を有していた。
【０００５】
そこで、この発明は、上記従来の課題を解決するものであり、湿気の帯びやすいフィルム状やシート状の物品を複数枚重ねた状態にして容器内に収納し、開閉蓋を閉じて長期間保存しておいても、容器内に湿気が入り難く、その物品が互いに引っ付くことなく、一枚ずつ取り出すことができるようにした包装用容器を提供することを目的としてなされたものである。
【課題を解決するための手段】
【０００６】
そのため、この発明の包装用容器は、下面を開口した上部体１と、上面を開口した下部体２からなり、上部体１の天板１ａの周囲に外周壁１ｂを設け、この外周壁１ｂの内側に内周壁１ｃを設けたものとし、外周壁１ｂと内周壁１ｃの間に嵌合溝３を設けたものとし、天板１ａに開閉蓋４を取り付けた取出口５を設け、下部体２の底板２ａの周囲に周壁２ｂを設けたものとし、この周壁２ｂを前記上部体１の嵌合溝３に嵌合して、上部体１に密着して取り付けたものとし、前記開閉蓋４の閉鎖時に、外周壁４ｂの下端部が取出口５の周囲面５ａに接触するようにすると共に、内周壁４ｃが取出口５に嵌合するようにしている。
【０００７】
さらに、この発明の包装用容器は、前記開閉蓋４を上部体１の一側部から他側部にかけて開閉するようにしている。
【０００８】
また、この発明の包装用容器は、前記上部体１の取出口５の下方位置における下部体２の底板２ａに、外から内寄りに傾斜させた傾斜面６ａを有する隆起部６を設けたものとしている。
【０００９】
さらに、この発明の包装用容器は、前記上部体１および下部体２を、低密度ポリエチレンからなるものとしている。
【発明の効果】
【００１０】
この発明の包装用容器は、以上に述べたように構成されているので、湿気の帯びやすいフィルム状やシート状の物品を複数枚重ねた状態して容器内に収納し、開閉蓋を閉じて長期間保存しておいても、容器内に湿気が入り難く、その物品が互いに引っ付くことなく、一枚ずつ取り出すことができるものとなる。
【発明を実施するための最良の形態】
【００１１】
以下、この発明の包装用容器の実施の形態を、図面に基づいて詳細に説明する。
【００１２】
図１〜５は、この発明の包装用容器の一実施形態を示しており、図６〜１０は、この発明の包装用容器の他の実施形態を示しており、何れも、略長方形状とした上部体１および下部体２からなり、容器内には湿気の帯びやすいフィルム状やシート状の物品（図示せず）を複数枚重ねた状態にして収納するようにしている。
【００１３】
上部体１は、下面を開口したものとし、天板１ａの周囲に外周壁１ｂを設け、この外周壁１ｂの内側に内周壁１ｃを設けたものとし、外周壁１ｂと内周壁１ｃの間に嵌合溝３を設けたものとし、天板１ａに開閉蓋４を取り付けた取出口５を設けている。
【００１４】
開閉蓋４は、天板４ａの周囲に外周壁４ｂを設け、この外周壁４ｂの内側に内周壁４ｃを設けたものとし、開閉蓋４の閉鎖時に、外周壁４ｂの下端部が取出口５の周囲面５ａに接触するようにすると共に、内周壁４ｃが取出口５に嵌合するようにしている。なお、前記内周壁４ｃと取出口５とは、円形とするのが形状が単純で、両者の寸法合わせがし易いものとなる。
【００１５】
さらに、開閉蓋４は、図１〜５に示した実施形態では、上部体１の一側部から略中央部にかけて開閉するようにしており、図６〜１０に示した実施形態では、上部体１の一側部から他側部にかけて開閉するようにしているが、さらに他の実施形態として、図示していないが、上部体１の略中央部から一側部にかけて開閉するようにすることもできる。
【００１６】
また、開閉蓋４の外周壁４ｂの適宜個所には、この開閉蓋４の開放時に、指を掛けて引き上げるための掛体４ｄを設けたものとしている。なお、前記開閉蓋４を上部体１の略中央部から一側部にかけて開閉するようにすると、背景技術の欄で説明したように開閉蓋４に窪部（図示せず）を形成する必要があり、この窪部に塵埃が溜まったり、窪部に突き出した掛体４ｄに指が引っ掛け難かったりするが、開閉蓋４を上部体１の一側部から略中央部にかけて開閉するようにしたり、上部体１の一側部から他側部にかけて開閉するようにすると、開閉蓋４には窪部を設ける必要がないので、塵埃が溜まることがなく、また掛体４ｄに指を掛け難かったりすることもない。
【００１７】
さらに、前記上部体１を製造する場合に、開閉蓋４を上部体１の一側部から略中央部にかけて開閉するようにすると、開閉蓋４を図３に示したような垂直に起立させた状態でしか型抜きが行えないので、上下型に加え横方向へのスライド型が必要となり、型数が多くなって型抜きが複雑になるが、開閉蓋４を上部体１の一側部から他側部にかけて開閉するようにすると、開閉蓋４を図８に示したような水平に寝かせた状態で型抜きが行えるので、上下型のみですみ、型数も少なく型抜きが容易に行えることになる。
【００１８】
下部体２は、上面を開口したものとし、底板２ａの周囲に周壁２ｂを設けたものとし、この周壁２ｂを前記上部体１の嵌合溝３に嵌合して、上部体１に密着して取り付けたものとしている。さらに、下部体２には、上部体１の取出口５の下方位置における底板２ａに、外から内寄りに傾斜させた傾斜面６ａを有する隆起部６を設けたものとしている。この隆起部６の傾斜面６ａは、容器内に収納した物品を指操作により取り出す時に、その物品の一端部を摺動させて取り出し易くするために設けられたものである。また、取出口５を円形にした場合には、この隆起部６によって、容器内に収納した物品が取出口５の略中央部から取り出せるようになり、その物品が取出口５の周囲に引っ掛かからないものとなるので、取り出し易くなる。
【００１９】
また、前記隆起部６は、下部体２の周壁２ｂよりも高くすることができ、このように隆起部６を高くすれば、傾斜面６ａもこの隆起部６に従って高くなり、傾斜角度を大きくすることができるので、容器内に収納した物品の一端部を急角度で持ち上げることができるようになり、その物品がより取り出し易くなる。なお、背景技術の欄で説明したように下部体１２の底板１２ｂを迫り上げて傾斜面１７を形成したものでは、この傾斜面１７を下部体１２の周壁１２ａより高くすることができず、傾斜角度も制限されるので、容器内に収納した物品の一端部を急角度で持ち上げることができず、その物品はそれほど取り出し易くはならない。
【００２０】
上部体１および下部体２は、ポリプロピレン、ポリエチレンなどの合成樹脂成形品からなるものとしているが、低密度ポリエチレンからなるものとするのが、上部体１と下部体２との密着性が良くなり、好ましいものとなる。なお、開閉蓋３は、上部体１に薄肉部ｔを介し、合成樹脂の一体成形として取り付けたものとしている。
【００２１】
この発明の包装用容器に収納する物品としては、例えば、芳香成分や薬効成分等を含有させたオブラートなどの可食性水溶性高分子物質からなるフィルムやシートを複数枚重ねた状態にしたものが挙げられる。
【００２２】
以上のように構成したこの発明の包装用容器は、湿気の帯びやすいフィルム状やシート状の物品を複数枚重ねた状態にしたものを容器内に収納してから、上部体１に下部体２を密着して取り付けたものとする。そして、この発明の包装用容器から、前記物品を取り出すには、開閉蓋４の掛体４ｄに指を掛けて、図２、７に示したように開閉蓋４を開き、取出口５から指を差し込んで、複数枚重ねた最上部の物品を指で押さえ、隆起部６の傾斜壁６ａに物品の一端部を摺動させるように指操作すれば、その物品を取出口５から容易に取り出すことができる。この指操作を繰り返すことにより、前記物品を次々に容器内から取り出して消費することができる。
【００２３】
さらに、この発明の包装用容器は、前記物品を容器内に収納し、開閉蓋４を閉じておけば、その開閉蓋４の外周壁４ｂの下端部が取出口５の周囲面５ａに接触すると共に、内周壁４ｃが取出口５に嵌合するので、開閉蓋４と取出口５は二重に密閉されるものとなり、両者の密閉度は完全なものとなり、また下部体２の周壁２ｂを上部体１の嵌合溝３に嵌合して、下部体２を上部体１に密着して取り付けたものとしているので、上部体１と下部体２の密閉度は完全なものとなり、容器内に湿気が入り難くなり、前記容器内に収納した物品を長期間保存しておく場合にも、その物品が湿気を帯びるようなことはないものとなる。
【００２４】
次に、この発明の包装用容器と従来の包装用容器についての気密試験を、以下に示すようにして行った。
（試験方法）
この発明の包装用容器として、（Ａ）上部体１を柔らか目のポリプロピレンとし、下部体２を通常の硬さのポリプロピレンにしたもの、（Ｂ）上部体１、下部体２ともに柔らか目のポリプロピレンにしたもの、（Ｃ）上部体１、下部体２ともに通常の硬さのポリプロピレンにしたもの、（Ｄ）上部体１を通常の硬さのポリプロピレンとし、下部体２を柔らか目のポリプロピレンにしたものを、それぞれ用意した。（Ａ）を実施例１、（Ｂ）を実施例２、（Ｃ）を実施例３、（Ｄ）を実施例４とした。
【００２５】
図１１〜１３に示す従来の包装用容器として、上部体１を柔らか目のポリプロピレンとし、下部体２を通常の硬さのポリプロピレンにしたものを用意した。これを比較例とした。
【００２６】
前記実施例１〜４および比較例の包装用容器内に、それぞれ等分に切って折り重ねたティッシュペーパーを入れ、包装用容器の重量を測定後、そのティッシュペーパーに水を滲み込ませる。そして、水を滲み込ませた後の包装用容器の重量を測定し、４０°Ｃの恒温機に入れ、３０分毎に取り出し、その包装用容器の重量を測定し、水の蒸発量（重量の減少量）を求めた。結果を表１に示す。
【００２７】
【表１】
2006069616.tif 000003
上記気密試験の結果、従来の包装用容器の水の最終蒸発率（測定開始から４時間後の蒸発率）は約１５％であったが、この発明の包装用容器の水の最終蒸発率（測定開始から４時間後の蒸発率）は約６％であり、この発明の包装用容器における気密度は従来の包装用容器における気密度に比べ、非常に優れたものであることが確認できた。
【図面の簡単な説明】
【００２８】
【図１】この発明の包装用容器の一実施形態を示しており、開閉蓋を閉じた状態の斜視図である。
【図２】図１に示すこの発明の包装用容器の開閉蓋を開いた状態の斜視図である。
【図３】図１に示すこの発明の包装用容器の分解斜視図である。
【図４】図１に示す状態でのこの発明の包装用容器の長手方向の断面図である。
【図５】図２に示す状態でのこの発明の包装用容器の長手方向の断面図である。
【図６】この発明の包装用容器の他の実施形態を示しており、開閉蓋を閉じた状態の斜視図である。
【図７】図６に示すこの発明の包装用容器の開閉蓋を開いた状態の斜視図である。
【図８】図６に示すこの発明の包装用容器の分解斜視図である。
【図９】図６に示す状態でのこの発明の包装用容器の開閉蓋の中央部における容器の幅方向の断面図である。
【図１０】図７に示す状態でのこの発明の包装用容器の開閉蓋の中央部における容器の幅方向の断面図である。
【図１１】従来の包装用容器の一例を示しており、開閉蓋を閉じた状態の斜視図である。
【図１２】図１１に示す従来の包装用容器の開閉蓋を開いた状態の分解斜視図である。
【図１３】図１１に示す従来の包装用容器の長手方向における断面図である。
【符号の説明】
【００２９】
１  上部体
１ａ  天板
１ｂ  外周壁
１ｃ  内周壁
２  下部体
２ａ  底板
２ｂ  周壁
３  嵌合溝
４  開閉蓋
４ｂ  外周壁
４ｃ  内周壁
４ｄ  掛体
５  取出口
５ａ  周囲面
【図１】
2006069616.tif 000004
【図２】
2006069616.tif 000005
【図３】
2006069616.tif 000006
【図４】
2006069616.tif 000007
【図５】
2006069616.tif 000008
【図６】
2006069616.tif 000009
【図７】
2006069616.tif 000010
【図８】
2006069616.tif 000011
【図９】
2006069616.tif 000012
【図１０】
2006069616.tif 000013
【図１１】
2006069616.tif 000014
【図１２】
2006069616.tif 000015
【図１３】
2006069616.tif 000016